(57)【特許請求の範囲】
【請求項１】
座と、前記座を支持する支持構造体と、を備える椅子であって、
前記座と前記支持構造体とを締結する第１の締結部材と、
前記第１の締結部材よりも前方で、前記座と前記支持構造体とを締結する第２の締結部材と、を有しており、
前記座は、
前記第２の締結部材が挿通される開口部が形成された下層部材と、
前記開口部を挿通する前記第２の締結部材によって、前記下層部材を介して前記支持構造体と締結される芯部材と、
前記芯部材を前記下層部材との間で挟み込み、前記第２の締結部材を覆う上層部材と、を有する、ことを特徴とする椅子。
【請求項２】
前記芯部材は、前記第１の締結部材によって、前記支持構造体に対し幅方向に延びる軸回りに回動可能に締結される、ことを特徴とする請求項１に記載の椅子。
【請求項３】
前記支持構造体は、前記座の下方を支持する座受部を有し、
前記第２の締結部材は、前記芯部材と前記座受部とを締結する、ことを特徴とする請求項１または２に記載の椅子。
【請求項４】
前記下層部材は、前記座受部と係合する係合溝を有し、
前記係合溝には、前記開口部が形成されている、ことを特徴とする請求項３に記載の椅子。
【請求項５】
前記下層部材は、前記芯部材が嵌合する嵌合部を有する、ことを特徴とする請求項１〜４のいずれか一項に記載の椅子。
【発明の詳細な説明】
【技術分野】
【０００１】
本発明は、椅子に関するものである。
【背景技術】
【０００２】
上記技術分野に関する椅子として、例えば下記特許文献１に記載された椅子が知られている。
特許文献１に記載された椅子は、座と、座を支持する枠装置（支持構造体）と、を備えている。座は、アウターカバー（下層部材）と、アウターカバーに支持されるインナーシェル（上層部材）と、アウターカバーとインナーシェルとの間に配設される金属製芯部材（芯部材）と、を組み合わせて成る。
【０００３】
この座は、クッションを張ったインナーシェルを、アウターカバーにビス止めされた金属製芯部材に係合させることによって形成されている。この構成によれば、金属製芯部材に強度部材としての機能を持たせることができるため、インナーシェルやアウターカバーの弾性化、軽量化が可能になる点で優れる。
【先行技術文献】
【特許文献】
【０００４】
【特許文献１】特開２００９−１０６４２２号公報
【発明の概要】
【発明が解決しようとする課題】
【０００５】
特許文献１に記載された椅子は、支軸を中心として座が回動可能な構成となっている。ところで、この跳ね上げ式の椅子を、座が回動不能である固定式の椅子にする場合、座と、座を下方を支持するサポート体（座受部）とをボルト等で締結することが考えられる。
しかしながら、ボルトを下方から挿入し、サポート体を挿通させ、座に螺合させると、ボルトの頭部が座の下方に露呈する。また、このボルトは、座の回動を不能とするために回動軸から離れた座の前方に配置されているため、着座者が手を回せば容易にアクセスでき、ボルトが外される虞がある。また、ボルトが螺合可能な強度を確保するために、座の下層を形成するアウターカバーを厚くすると、座が全体的に厚みのある外観を呈し、外観上も好ましくない。
【０００６】
本発明は、上記問題点に鑑みてなされたものであり、着座者による座の解体を防止でき且つ外観に悪影響を与えることのない椅子の提供を目的とする。
【課題を解決するための手段】
【０００７】
この発明に係る椅子では、上記の課題を解決するために以下の構成を採用した。
この発明に係る椅子は、座と、前記座を支持する支持構造体と、を備える椅子であって、前記座と前記支持構造体とを締結する第１の締結部材と、前記第１の締結部材よりも前方で、前記座と前記支持構造体とを締結する第２の締結部材と、を有しており、前記座は、前記第２の締結部材が挿通される開口部が形成された下層部材と、前記開口部を挿通する前記第２の締結部材によって、前記下層部材を介して前記支持構造体と締結される芯部材と、前記芯部材を前記下層部材との間で挟み込み、前記第２の締結部材を覆う上層部材と、を有する、ことを特徴とするものである。
この構成によれば、第１の締結部材と第２の締結部材によって前後に離間して座と支持構造体とを締結するため、座の支持が安定する。この構成において、第２の締結部材は、座の下層部材に形成された開口部を挿通して、芯部材と支持構造体とを締結するため、下層部材の機能は単なるカバー機能にとどめることができ、強度の小さな厚みのない部材として運用できる。このため、座の下層部材を厚くすることなく、また、強度は芯部材に持たせて、座を過度に厚くすることなく強度を大きくできるため、外観に影響を与えることはない。また、第２の締結部材は、第１の締結部材よりも比較的着座者の手が届き易い座の前方に配設されるが、下層部材との間で芯部材を挟み込む上層部材によって覆われているため、着座者は上層部材を取り外すこと無しに、第２の締結部材の締結解除を行うことができなくなる。このため、着座者による不測の座の解体を防止できる。
【０００８】
また、この発明に係る椅子において、前記芯部材は、前記第１の締結部材によって、前記支持構造体に対し幅方向に延びる軸回りに回動可能に締結される、ことを特徴とするものである。
この構成によれば、芯部材の後方が第１の締結部材によって支持構造体に対し幅方向に延びる軸回りに回動可能に締結されるため、芯部材の後方を締結した後、芯部材の前方を倒すように回動させることで、芯部材を支持構造体上に位置させることができ、組み立てが容易となる。
【０００９】
また、この発明に係る椅子において、前記支持構造体は、前記座の下方を支持する座受部を有し、前記第２の締結部材は、前記芯部材と前記座受部とを締結する、ことを特徴とするものである。
この構成によれば、芯部材の前方が第２の締結部材によって座の下方を支持する強度部材である座受部と締結されるため、座の支持が安定する。
【００１０】
また、この発明に係る椅子において、前記下層部材は、前記座受部と係合する係合溝を有し、前記係合溝には、前記開口部が形成されている、ことを特徴とするものである。
この構成によれば、下層部材が座受部が係合する係合溝を有しているため、支持構造体に対する位置決めが行い易くなる。
【００１１】
また、この発明に係る椅子において、前記下層部材は、前記芯部材が嵌合する嵌合部を有する、ことを特徴とするものである。
この構成によれば、下層部材の嵌合部に芯部材を嵌合し、下層部材と嵌合した状態で芯部材を支持構造体に締結するため、下層部材と芯部材とを位置合わせする必要がなく、組み立てが容易となる。
【発明の効果】
【００１２】
この発明によれば、着座者による座の解体を防止でき且つ外観に悪影響を与えることのない椅子が得られる。
【図面の簡単な説明】
【００１３】
【図１】本発明の実施形態における椅子１の正面図である。
【図２】本発明の実施形態における椅子１を右側面後方側から視た斜視図である。
【図３】本発明の実施形態における座４の分解斜視図である。
【図４】本発明の実施形態における座４の平面図である。
【図５】本発明の実施形態における座４の右側面図である。
【図６】図４の矢視Ａ−Ａ断面図である。
【図７】図４の矢視Ｂ−Ｂ断面図である。
【図８】図４の矢視Ｃ−Ｃ断面図である。
【図９】本発明の実施形態におけるアウターカバー２０の斜視図である。
【図１０】図１の矢視Ｄ−Ｄ断面図である。
【図１１】図７の領域Ｋの拡大図である。
【図１２】本発明の実施形態におけるインナーシェル４０の底面側斜視図である。
【図１３】本発明の実施形態におけるインナーシェル４０の底面図である。
【図１４】本発明の実施形態におけるインナーシェル４０の右側面図である。
【発明を実施するための形態】
【００１４】
以下、この発明の実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶことがある。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶことがある。
【００１５】
図１は、本発明の実施形態における椅子１の正面図である。図２は、本発明の実施形態における椅子１を右側面後方側から視た斜視図である。
図１及び図２に示すように、本実施形態の椅子１は、フロア上に載置される脚部２と、脚部２の上端に設置される支持構造体３と、支持構造体３に支持されて着座者が着座する座４と、を有する。
【００１６】
脚部２は、キャスタ５ａ付きの多岐脚５と、多岐脚５の中央部より起立し昇降機構であるガススプリングを内蔵する脚柱６と、を有し、脚柱６の上端部に支持構造体３が取り付けられている。
支持構造体３は、図２に示すように、脚柱６の昇降調整機構を内蔵するボックス状の支基７と、座４に着座した着座者の背中を支持する背凭れ８と、を有する。支基７には、昇降調整機構を操作する操作レバー９が右側方に突出して設けられている（図１参照）。
【００１７】
また、支基７には、図２に示すように、座４及び背凭れ８を支持する金属製のフレーム１０が設けられている。フレーム１０は、中空のパイプ状に形成され、支基７に左右一対で設けられると共に支基７に対して前後に延在している。支基７に対して前方に延在したフレーム１０には、座受部１１が設けられている。座受部１１は、左右方向（幅方向）に延在し、左右のフレーム１０を接続すると共に、座４の下方を支持する構成となっている。
【００１８】
一方、支基７に対して後方に延在したフレーム１０は、図２に示すように、略Ｌ字に屈曲し、その上端部に背凭れ８が装着される。背凭れ８は、左右のフレーム１０を接続すると共に、左右のフレーム１０間に後方に凸となる湾曲形状の受面１２を形成する。また、支基７に対して後方に延在したフレーム１０には、座支持部１３が設けられている。座支持部１３は、左右のフレーム１０のそれぞれに設けられ、座４の側方を左右方向に延びる軸回りに回転自在に支持する構成となっている。
【００１９】
図３は、本発明の実施形態における座４の分解斜視図である。図４は、本発明の実施形態における座４の平面図である。図５は、本発明の実施形態における座４の右側面図である。図６は、図４の矢視Ａ−Ａ断面図である。図７は、図４の矢視Ｂ−Ｂ断面図である。図８は、図４の矢視Ｃ−Ｃ断面図である。
本実施形態の座４は、図３に示すように、アウターカバー２０（下層部材）と、芯部材３０と、インナーシェル４０（上層部材）と、外装部材５０と、を有する。
【００２０】
アウターカバー２０は、支持構造体３に近接する樹脂製の板状部材であって、座４の下層を形成するものである。芯部材３０は、アウターカバー２０とインナーシェル４０との間に配設される金属製の強度部材であって、座４の骨格を形成するものである。インナーシェル４０は、アウターカバー２０に支持される樹脂製の板状部材であって、座４の上層を形成するものである。外装部材５０は、インナーシェル４０に支持されるウレタン等のクッション材５１（図６及び図７参照）と、インナーシェル４０に張設されてクッション材５１の上方側を覆うシート表皮材５２と、を有する。
【００２１】
本実施形態の座４は、芯部材３０に強度を持たせることで、図６及び図７に示すように、アウターカバー２０とインナーシェル４０を薄く軽量化している。アウターカバー２０とインナーシェル４０とを比較すると、インナーシェル４０の方が、アウターカバー２０よりも剛性が高くなっており、また、中央部４０ａが下方に凸となるように湾曲し、弾性変形し易い構成となっている。外装部材５０は、インナーシェル４０の窪んだ部分に対応する厚みが大きく形成されており、図６に示すように、外観上では座４の上面を窪みが無いように見せている。この座４は、以下説明する荷重支持構造を備えている。
【００２２】
先ず、芯部材３０は、図３に示すように、インナーシェル４０の中央部４０ａを囲うように配設されている。この芯部材３０は、略Ｕ字状に形成された第１のフレーム３１と、第１のフレーム３１の間に架設された第２のフレーム３２と、座支持部１３に取り付けられる取付部３３と、を有する。第１のフレーム３１及び第２のフレーム３２は、それぞれ中空のパイプ状に形成され、互いに接合されて略矩形の開口部３４を形成する構成となっている。開口部３４は、インナーシェル４０の中央部４０ａと対向するように配設される。
【００２３】
第１のフレーム３１の両端部３１ａは、第２のフレーム３２よりも前方に突出して設けられている。第２のフレーム３２は、第１のフレーム３１の両端部３１ａよりも後方に配設され、左右方向に延在して設けられている。取付部３３は、斜め後方に延びる板状部材であって、第１のフレーム３１の左右に接合されている。取付部３３には、芯部材３０と支持構造体３とを締結する第１の締結部材６１が挿通される開口部３３ａが形成されている。一方、第２のフレーム３２の中央には、第１の締結部材６１よりも前方で、芯部材３０と支持構造体３とを締結する第２の締結部材６２が挿通される開口部３２ａが形成されている。
【００２４】
図９は、本発明の実施形態におけるアウターカバー２０の斜視図である。図１０は、図１の矢視Ｄ−Ｄ断面図である。
図９に示すように、アウターカバー２０は、芯部材３０よりも一回り大きく形成されており、芯部材３０の底面及び側面を覆うものである。このアウターカバー２０は、芯部材３０の第１のフレーム３１及び第２のフレーム３２を覆う本体カバー２０ａと、芯部材３０の取付部３３を覆う取付部カバー２０ｂと、からなる。取付部カバー２０ｂは、第１の締結部材６１が挿通される開口部２０ｂ１が形成されている。一方、本体カバー２０ａは、第２の締結部材６２が挿通される開口部２０ａ１が形成されている。
【００２５】
アウターカバー２０は、図１０に示すように、支持構造体３の座受部１１と係合する係合溝２１を有する。係合溝２１は、上方に凸となる円弧状に形成され、座受部１１の周面上部に当接可能な構成となっている。この係合溝２１は、座４の回動軸（第１の締結部材６１）に対する半径距離が座受部１１と同一になるように配設されている。係合溝２１には、開口部２０ａ１が形成されている。開口部２０ａ１は、係合溝２１と座受部１１とが係合したときに、座受部１１に設けられた第２の締結部材６２の締結部６３と対向するように配設されている。締結部６３は、第２の締結部材６２が螺合するナット部材であり、座受部１１の周面上部中央に取り付けられている。
【００２６】
図９に戻り、アウターカバー２０には、芯部材３０と嵌合する第１の嵌合部２２と、インナーシェル４０と嵌合する第２の嵌合部２３と、が設けられている。第１の嵌合部２２及び第２の嵌合部２３は、アウターカバー２０の内面に設けられている。このため、アウターカバー２０にインナーシェル４０が組み合わされると、第１の嵌合部２２及び第２の嵌合部２３は、インナーシェル４０に覆われ、外部に露呈することはない。第１の嵌合部２２は、芯部材３０の両端部３１ａが挿入される挿入部２４と、芯部材３０を受ける受け部２５と、芯部材３０を挟み込む第１の爪部対２６と、を有する。
【００２７】
挿入部２４は、アウターカバー２０の前側に一対で設けられている。挿入部２４には、芯部材３０の両端部３１ａが挿入される不図示の開口部が形成されている。挿入部２４に両端部３１ａが挿入されることで、前方への芯部材３０の移動が規制される。
受け部２５は、アウターカバー２０の前後左右の四辺に設けられている。この受け部２５は、下方に凸となる略円弧状に形成され、芯部材３０に沿って複数配設されており、第１のフレーム３１を支持する構成となっている。受け部２５に芯部材３０が載置されることで、下方への芯部材３０の移動が規制される。
【００２８】
第１の爪部対２６は、アウターカバー２０の前後左右の四辺に設けられている。この第１の爪部対２６は、芯部材３０に沿って複数配設されており、第１のフレーム３１及び第２のフレーム３２を挟み込む構成となっている。具体的に、第１の爪部対２６は、係合溝２１に沿って２箇所で芯部材３０の第２のフレーム３２を挟み込み、また、アウターカバー２０の左右の二辺のそれぞれ２箇所で芯部材３０の第１のフレーム３１を挟み込み、また、アウターカバー２０の後方の一辺の中央１箇所で芯部材３０の第１のフレーム３１を挟み込む構成となっている。
【００２９】
図１１は、図７の領域Ｋの拡大図である。
図１１に示すように、第１の爪部対２６は、芯部材３０を挟んで一対で設けられている。第１の爪部対２６の離間寸法は、芯部材３０のパイプ直径に対応して設定されている。第１の爪部対２６は、アウターカバー２０に対し上方に突出して設けられている。この第１の爪部対２６の先端部には、芯部材３０を保持するフック状の保持部２７が設けられている。保持部２７の離間寸法は、芯部材３０のパイプ直径よりも小さく設定されている。
【００３０】
芯部材３０を第１の爪部対２６で挟み込むときは、第１の爪部対２６を離間する方向（開き方向）に弾性変形させ、弾性を利用して芯部材３０の周面上部に保持部２７を引っ掛ける。このように、芯部材３０を第１の爪部対２６で挟み込むことで、第１の爪部対２６の対向方向及び上方への芯部材３０の移動が規制される。本実施形態では、図９に示すように、第１の爪部対２６がアウターカバー２０の前後左右の四辺に設けられているため、芯部材３０を複数の第１の爪部対２６で挟み込むことで、前後、左右及び上方への芯部材３０の移動が規制される。
【００３１】
第２の嵌合部２３は、図９に示すように、インナーシェル４０に掛止する爪部２８と、インナーシェル４０に挿入される挿入ピン２９と、を有する。
爪部２８は、アウターカバー２０の前方の一辺に設けられている。この爪部２８は、アウターカバー２０の上方に突出し、その先端フックが後方を向いて複数設けられている。
挿入ピン２９は、アウターカバー２０の左右の二辺及び後方の一辺に設けられている。この挿入ピン２９は、アウターカバー２０の上方に突出し、左右の二辺及び後方の一辺のそれぞれの２箇所に設けられている。
【００３２】
図１２は、本発明の実施形態におけるインナーシェル４０の底面側斜視図である。図１３は、本発明の実施形態におけるインナーシェル４０の底面図である。図１４は、本発明の実施形態におけるインナーシェル４０の右側面図である。
インナーシェル４０は、図１２及び図１３に示すように、アウターカバー２０に設けられた第２の嵌合部２３の受け側となるシャフト部４１と、嵌合孔部４２と、を有する。
【００３３】
シャフト部４１は、インナーシェル４０の前方の一辺に設けられている。このシャフト部４１は、左右方向に延在し、アウターカバー２０に設けられた爪部２８が掛止可能な構成となっている。シャフト部４１に爪部２８が掛止することで、座４の前方においてアウターカバー２０とインナーシェル４０とが嵌合する。
嵌合孔部４２は、インナーシェル４０の左右の二辺及び後方の一辺に設けられている。この嵌合孔部４２は、アウターカバー２０の挿入ピン２９が嵌合可能な構成となっている。嵌合孔部４２に挿入ピン２９が挿入されることで、座４の左右及び後方においてアウターカバー２０とインナーシェル４０とが嵌合する。
【００３４】
具体的に、嵌合孔部４２は、図８に示すように、挿入ピン２９が引っ掛かる羽根部対４３を有する。羽根部対４３は、上方に向かって徐々に近接するように傾斜している。一方、挿入ピン２９の先端部には、拡径したアンカー部２９ａが設けられている。嵌合孔部４２に挿入ピン２９を挿入するときは、アンカー部２９ａが羽根部対４３を離間する方向に弾性変形させる。アンカー部２９ａが羽根部対４３を通過すると、羽根部対４３が元の位置に戻り、アンカー部２９ａの返しが羽根部対４３に引っ掛かり、抜けが規制される。
【００３５】
図１２及び図１３に戻り、インナーシェル４０には、芯部材３０を挟み込んだ第１の爪部対２６に外嵌する第２の爪部対４４が設けられている。第２の爪部対４４は、インナーシェル４０の前後左右の四辺に設けられている。この第２の爪部対４４は、芯部材３０に沿って複数配設されている。具体的に、第２の爪部対４４は、第１の爪部対２６と同数で設けられ、係合溝２１に沿って２箇所に設けられた第１の爪部対２６に外嵌し、また、アウターカバー２０の左右の二辺のそれぞれ２箇所に設けられた第１の爪部対２６に外嵌し、また、アウターカバー２０の後方の一辺の中央１箇所に設けられた第１の爪部対２６に外嵌する構成となっている。
【００３６】
図１１に示すように、第２の爪部対４４は、アウターカバー２０とインナーシェル４０が嵌合したときに、第１の爪部対２６の背面側に対向するようにインナーシェル４０に対して下方に突出して設けられている。第２の爪部対４４の離間寸法は、第１の爪部対２６よりも大きくなるように設定されている。また、第２の爪部対４４の離間寸法は、保持部２７が芯部材３０のパイプ直径まで開いたときの第１の爪部対２６の最も外側（背面から背面まで）の離間寸法よりも小さくなるように設定されている。これにより、インナーシェル４０を取り外すことなく、第１の爪部対２６から芯部材３０を取り外すことができなくなっている。
【００３７】
第２の爪部対４４には、図１２及び図１３に示すように、補強部４５が接続されている。補強部４５は、第２の爪部対４４の剛性を、第１の爪部対２６よりも大きくするものである。この補強部４５は、第１の爪部対２６の開き方向に延在し、第２の爪部対４４の背面側に接続されている。本実施形態の補強部４５は、インナーシェル４０に設けられた補強リブ４６と一体的に設けられている。補強リブ４６は、インナーシェル４０から下方に突出し、前後左右に格子状に延在している。第２の爪部対４４は、補強リブ４６の先端、若しくは、隣り合う補強リブ４６の間に配置されている。
【００３８】
続いて、上記構成の座４の組み付け方法について説明する。
【００３９】
先ず、図３に示すように、アウターカバー２０に設けられた第１の嵌合部２２と芯部材３０とを嵌合させ、アウターカバー２０に芯部材３０を支持させる。具体的には、図９に示すように、芯部材３０の前方に突出する両端部３１ａを挿入部２４に挿入し、次に、芯部材３０の後方を下げ、受け部２５に載置すると共に、第１の爪部対２６に挟み込ませる。このように、アウターカバー２０に芯部材３０を支持させたら、図３に示すように、芯部材３０の取付部３３と支持構造体３の座支持部１３とをボルト状の第１の締結部材６１によって締結する。
【００４０】
取付部３３は、開口部３３ａ及び取付部カバー２０ｂの開口部２０ｂ１を挿通する第１の締結部材６１によって、座支持部１３に対し締結される。これにより、芯部材３０は、支持構造体３に対して左右方向に延びる軸回りに回動可能とされる。芯部材３０を第１の締結部材６１によって回動可能に取り付けたら、芯部材３０を回動させて支持構造体３の座受部１１の上に倒す。芯部材３０を倒すと、図１０に示すように、アウターカバー２０に設けられた係合溝２１が座受部１１に係合し、開口部２０ａ１を介して、第２のフレーム３２に形成された開口部３２ａと、座受部１１に設けられた締結部６３とが対向する。
【００４１】
次に、ボルト状の第２の締結部材６２によって、アウターカバー２０を介して芯部材３０と支持構造体３とを締結する。具体的には、第２の締結部材６２を上方から挿入し、第２のフレーム３２の開口部３２ａ、アウターカバー２０の開口部２０ａ１を挿通させ、座受部１１の締結部６３に螺合させる。これにより、芯部材３０は、支持構造体３に対して回動不能に固定される。このように、芯部材３０を支持構造体３に固定したら、図９に示す第２の嵌合部２３によって、アウターカバー２０とインナーシェル４０とを嵌合させる。なお、インナーシェル４０には、予め外装部材５０を張り付けておく。
【００４２】
先ず、インナーシェル４０とアウターカバー２０の前方を合わせ込み、インナーシェル４０のシャフト部４１にアウターカバー２０の爪部２８を掛止させる。次に、インナーシェル４０を、シャフト部４１を中心に回動させ、インナーシェル４０の後方をアウターカバー２０に降ろし、インナーシェル４０に設けられた嵌合孔部４２に、アウターカバー２０に設けられた挿入ピン２９を挿入させる。このようにして、アウターカバー２０とインナーシェル４０とを嵌合させると、芯部材３０がアウターカバー２０とインナーシェル４０との間に挟み込まれ、第２の締結部材６２が覆われる。
【００４３】
これにより、インナーシェル４０を取り外すこと無しに、芯部材３０と支持構造体３との締結を解除することができなくなる。また、アウターカバー２０とインナーシェル４０とを嵌合させると、図１１に示すように、インナーシェル４０に設けられた第２の爪部対４４が芯部材３０を挟み込んだ第１の爪部対２６に外嵌する。これにより、インナーシェル４０を取り外すこと無しに、第１の爪部対２６を開いて芯部材３０を取り外すことができなくなる。
以上のようにして、支持構造体３に対し座４が組み付けられ、図１及び図２に示す椅子１が得られる。
【００４４】
このように、本実施形態では、座４と、座４を支持する支持構造体３と、を備える椅子１であって、座４と支持構造体３とを締結する第１の締結部材６１と、第１の締結部材６１よりも前方で、座４と支持構造体３とを締結する第２の締結部材６２と、を有しており、座４は、第２の締結部材６２が挿通される開口部２０ａ１が形成されたアウターカバー２０と、開口部２０ａ１を挿通する第２の締結部材６２によって、アウターカバー２０を介して支持構造体３と締結される芯部材３０と、芯部材３０をアウターカバー２０との間で挟み込み、第２の締結部材６２を覆うインナーシェル４０と、を有するという構成を採用する。
この構成によれば、第１の締結部材６１と第２の締結部材６２によって前後に離間して座４と支持構造体３とを締結するため、座４の支持が安定する。この構成において、第２の締結部材６２は、座４のアウターカバー２０に形成された開口部２０ａ１を挿通して、芯部材３０と支持構造体３とを締結するため、アウターカバー２０の機能は単なるカバー機能にとどめることができ、強度の小さな厚みのない部材として運用できる。このため、座４のアウターカバー２０を厚くすることなく、また、強度は芯部材３０に持たせて、座４を過度に厚くすることなく強度を大きくできるため、外観に影響を与えることはない。また、第２の締結部材６２は、第１の締結部材６１よりも比較的着座者の手が届き易い座４の前方に配設されるが、アウターカバー２０との間で芯部材３０を挟み込むインナーシェル４０によって覆われているため、着座者はインナーシェル４０を取り外すこと無しに、第２の締結部材６２の締結解除を行うことができなくなる。このため、着座者による不測の座４の解体を防止できる。
【００４５】
また、本実施形態では、芯部材３０は、第１の締結部材６１によって、支持構造体３に対し幅方向に延びる軸回りに回動可能に締結されるという構成を採用する。
この構成によれば、芯部材３０の後方が第１の締結部材６１によって支持構造体３に対し幅方向に延びる軸回りに回動可能に締結されるため、芯部材３０の後方を締結した後、芯部材３０の前方を倒すように回動させることで、芯部材３０を支持構造体３上に位置させることができ、組み立てが容易となる。
【００４６】
また、本実施形態では、支持構造体３は、座４の下方を支持する座受部１１を有し、第２の締結部材６２は、芯部材３０と座受部１１とを締結するという構成を採用する。
この構成によれば、芯部材３０の前方が第２の締結部材６２によって座４の下方を支持する強度部材である座受部１１と締結されるため、座４の支持が安定する。
【００４７】
また、本実施形態では、アウターカバー２０は、座受部１１と係合する係合溝２１を有し、係合溝２１には、開口部２０ａ１が形成されているという構成を採用する。
この構成によれば、アウターカバー２０が座受部１１が係合する係合溝２１を有しているため、支持構造体３に対する位置決めが行い易くなる。
【００４８】
また、本実施形態では、アウターカバー２０は、芯部材３０が嵌合する第１の嵌合部２２を有するという構成を採用する。
この構成によれば、アウターカバー２０の第１の嵌合部２２に芯部材３０を嵌合し、アウターカバー２０と嵌合した状態で芯部材３０を支持構造体３に締結するため、アウターカバー２０と芯部材３０とを位置合わせする必要がなく、組み立てが容易となる。
【００４９】
このように、上述した本実施形態によれば、着座者による座の解体を防止でき且つ外観に悪影響を与えることのない椅子１が得られる。
【００５０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５１】
例えば、上記実施形態では、芯部材３０と座受部１１とを締結する構成について説明したが、本発明はこの構成に限定されるものではなく、例えば、脚部２もパイプからなるパイプ椅子等では、芯部材３０と脚部２とを締結する構成であってもよい。
【００５２】
また、例えば、上記実施形態では、芯部材３０が矩形の枠部材からなる構成について説明したが、本発明はこの構成に限定されるものではなく、例えば、芯部材３０が椅子１の幅方向に離間した左右一対の杆部材を前後方向の適所で連結した強度部材からなる構成であってもよい。
【符号の説明】
【００５３】
１  椅子
３  支持構造体
４  座
１１  座受部
２０  アウターカバー（下層部材）
２０ａ１  開口部
２１  係合溝
２２  第１の嵌合部（嵌合部）
３０  芯部材
４０  インナーシェル（上層部材）
６１  第１の締結部材
６２  第２の締結部材
【図１】
0006410558.tif 000002
【図２】
0006410558.tif 000003
【図３】
0006410558.tif 000004
【図４】
0006410558.tif 000005
【図５】
0006410558.tif 000006
【図６】
0006410558.tif 000007
【図７】
0006410558.tif 000008
【図８】
0006410558.tif 000009
【図９】
0006410558.tif 000010
【図１０】
0006410558.tif 000011
【図１１】
0006410558.tif 000012
【図１２】
0006410558.tif 000013
【図１３】
0006410558.tif 000014
【図１４】
0006410558.tif 000015